(57)【要約】【課題】ガイド中に、音声ガイダンスの停止／再生を必要に応じて容易に切り換えることのできる画像処理装置を提供する。【解決手段】音声ガイダンス機能を備えた画像処理装置Ｆであって、音声ガイダンス制御キー８ａと、音声出力中に上記音声ガイダンス制御キー８ａが操作されると、音声出力を停止し、停止中に上記音声ガイダンス制御キー８ａが操作されると、停止中の音声ガイダンスを再生するように制御する音声出力制御手段１とを備えている。【選択図】図１
2005278011.tif 000002
【特許請求の範囲】
【請求項１】
音声ガイダンス機能を備えた画像処理装置であって、
音声ガイダンス制御キーと、音声出力中に上記音声ガイダンス制御キーが操作されると、音声出力を停止し、停止中に上記音声ガイダンス制御キーが操作されると、停止中の音声ガイダンスを再生するように制御する音声出力制御手段とを備えている画像処理装置。
【請求項２】
請求項１において、
装置に対する所定の登録機能を可能とする操作部をさらに備えており、
上記音声ガイダンスは、上記操作部の登録操作に対応して出力される音声ガイダンスであることを特徴とする画像処理装置。
【請求項３】
請求項１または２において、
上記音声ガイダンスは、エラー復旧操作用の音声ガイダンスであることを特徴とする画像処理装置。
【発明の詳細な説明】
【技術分野】
【０００１】
本発明は、音声ガイダンス機能を備えた画像処理装置の改良に関するものである。
【背景技術】
【０００２】
近年、複写機等の画像処理装置には、視覚障害者や操作に不慣れな者のために、音声により操作方法をガイドする装置が開発されている。
通常、この種の装置では音声出力モード設定用のモードスイッチが設けられ、音声出力モードがオンのときのみ音声出力を許可し、そのモードがオフのときは音声出力を禁止するようになっている。
【０００３】
ところが、一般には、１回の音声ガイダンスを全部聞いていると操作に時間がかかってしまい、迅速な操作ができなくなってしまうため、使用に慣れてくれば音声出力モードをオフにしたまま使用することが多い。また、事務所等では多数の者が１台の装置を共同使用するため、必要に応じてモードを切り換えればよいが、いったんモードを切り換えると元に戻す操作を忘れることも多く、必要としないときに音声が流れてしまうことが多かった。
【０００４】
また、ワンタッチキー登録操作や装置異常発生時のエラー復旧操作などの一連操作において、次の操作がされるまで同じ音声を繰り返し出力するように設定された装置では、一連の操作途中で操作を中断してしまうと音声が流れつづけるため、周囲にはきわめて迷惑な状態となる。さらに、このような一連の操作を必要とするものについては、ほとんど聞く必要のない音声と確認しておきたい音声とが混在する場合もある。
【０００５】
したがって、このような場合には上記のモード切り換えだけでは十分に対応できず、随時、音声出力の有効／無効を容易に切り換えることができる装置の開発が望まれていた。
次の文献には、キーロックスイッチをオン／オフすることにより、オペパネル上のキーを有効／無効に切り換えることができるファクシミリ装置が記載されている。
【特許文献１】特開平７−１５５８２号公報
【発明の開示】
【発明が解決しようとする課題】
【０００６】
本発明は、上記のような事情を考慮して提案されたもので、ガイド中に、音声ガイダンスの停止／再生を必要に応じて容易に切り換えることのできる画像処理装置を提供することを目的とするものである。
【課題を解決するための手段】
【０００７】
上記目的を達成するために、請求項１に記載の画像処理装置は、音声ガイダンス機能を備えた画像処理装置であって、音声ガイダンス制御キーと、音声出力中に上記音声ガイダンス制御キーが操作されると、音声出力を停止し、停止中に上記音声ガイダンス制御キーが操作されると、停止中の音声ガイダンスを再生するように制御する音声出力制御手段とを備えている。
【０００８】
請求項２では、請求項１において、装置に対する所定の登録機能を可能とする操作部をさらに備えており、音声ガイダンスは、操作部の登録操作に対応して出力される音声ガイダンスであることを特徴とする。
【０００９】
請求項３では、請求項１または２において、音声ガイダンスは、エラー復旧操作用の音声ガイダンスであることを特徴とする。
【発明の効果】
【００１０】
請求項１に記載の画像処理装置は、音声ガイダンス制御キーを設け、音声出力中に音声ガイダンス制御キーが操作されると音声出力を停止し、停止中に音声ガイダンス制御キーが操作されると、停止中の音声ガイダンスを再生するようにしているので、この制御キーがオルタネイトキーのように作用し、必要に応じて簡単に、音声を止めたり、再出力させたりすることができる。
そのため、音声出力モードをオンに設定していたとしても、不要な音声を随時止めることができるので、効率よく操作をすることができる。また、操作を途中で中断しても制御キーを操作しておけば音声が流れつづけることがなく、周辺のじゃまにもならない。
また、いったん停止しても再度、音声ガイダンス制御キーを操作すれば、停止中のガイダンスが再生されるので、音声により操作の再確認をすることができる。
【００１１】
請求項２は、所定の登録操作に対応して音声ガイダンスが出力される装置に、上記音声ガイダンス制御キーを適用させたものである。すなわち、一連の登録操作において、音声ガイダンスの必要がないものについては、再生中の音声を停止して次の操作に移ることができる。
特に、登録に多くの操作を必要とするものには、ほとんど聞く必要のない音声と確認しておきたい音声とが混在する場合があり、そのような場合に随時、音声出力の有効／無効を容易に切り換えることができるため、利便性は高く、また操作効率も向上する。
【００１２】
請求項３では、エラー復旧操作に対応して出力される音声ガイダンスの有効／無効の切り換えができるようになっているため、必要に応じて音声を止めたり、音声で操作を確認したりすることができる。
【発明を実施するための最良の形態】
【００１３】
以下に、本発明の実施形態について、図面を参照しながら説明する。以下に示す実施例では画像処理装置として複合機を示しているが、ファクシミリ専用機や複写専用機にも適用可能である。
【実施例１】
【００１４】
図１は、本発明の画像処理装置Ｆの内部構成を示すブロック図である。
図において、１は以下の各部を制御するＣＰＵ等で構成された制御部である。この制御部１は、後述する音声ガイダンス制御キー８ａの操作により音声出力／停止の制御を行う音声出力制御手段として動作する。
２は通信回線Ｌへのネットワーク制御を行うＮＣＵ、３は画像データファクシミリ通信するために信号の変調・復調を行うモデム、４は画像データを記憶する画像メモリ、５は可変データや設定データなどを記憶するＲＡＭ、６は制御プログラムなどを記憶しているＲＯＭ、７は液晶画面等で構成された表示部、８はタッチパネル等で構成された操作部、９は原稿画像を読み取る読取部、１０は受信した原稿の画像データを記録紙に出力させる記録部、１１は音声ガイダンスを出力するスピーカ等からなる音声出力部である。
【００１５】
この複合機Ｆは、読取部９で読み取った画像データを順次符号化したのち、いったん画像メモリ４に蓄積し、モデム３、ＮＣＵ２を介して、相手先のファクシミリ装置（不図示）に対して送信する一方、画像データを受信すると、受信した画像データを画像メモリ４に蓄積し、順次読み出し復号して、印字出力部１０によって印字出力するファクシミリ送受信基本機能と、読取部９で読み取った画像データを記録部１０により記録紙に出力する複写機能とを備えている。
【００１６】
また、この装置Ｆには音声出力モードスイッチ（不図示）が設けられ、このモードスイッチ操作により、音声出力モードのオンオフ設定ができるようになっている。音声出力モードがオン設定されているときには、ワンタッチキー（電話帳）登録などの各種登録操作や、装置異常時のエラー復旧操作などの一連の操作が必要なものについては、音声ガイダンスに従って各種登録操作やエラー復旧操作ができるようになっている。
【００１７】
本発明装置Ｆは、上述するように音声ガイダンス制御キー８ａをさらに備えている。この制御キー８ａは音声出力モードに設定されているときでも、音声ガイダンスを随時停止させることを可能とする一方、停止中にこのキー８ａを再操作すると、停止していた音声を再び出力することを可能としたものである。
【００１８】
次に、登録操作の一例として、ワンタッチキー登録の一連の操作とそれに対応する音声ガイダンスを示す。
（１）ワンタッチ登録ボタンを操作すると
音声ガイダンス「ワンタッチキーを選択してください」が、次の操作がされるまで繰り返し流れる。
（２）ワンタッチキーを選択すると
音声ガイダンス「ワンタッチキーを選択してください」は停止し、次の音声ガイダンス「ＦＡＸ番号と名称を入力してください」が、次の操作がされるまで繰り返し流れる。
（３）ＦＡＸ番号と名称を入力すると
音声ガイダンス「ＦＡＸ番号と名称を入力してください」が停止し、次の音声ガイダンス「内容を確認して、登録確定スイッチを操作してください」が、次の操作がされるまで繰り返し流れる。
（４）登録確定操作をすると
音声ガイダンス「内容を確認して、登録確定スイッチを操作してください」が停止し、最終の音声ガイダンス「ワンタッチキー○○に１件登録されました」が１回流れる。
このような通常の音声ガイダンス出力において、途中で音声ガイダンス制御キー８ａを操作すると、その出力中の音声は停止される。
【００１９】
図２には、上記登録操作における音声ガイダンス制御キー８ａの操作例を示している。なお、図中の（１）〜（４）は上記の番号に対応している。
この例では、（２）の音声ガイダンスが流れているときに音声ガイダンス制御キー８ａが操作された場合を示している。音声ガイダンス制御キー８ａが操作されると、そのときの音声ガイダンス「ＦＡＸ番号と名称を入力してください」は停止し、再度操作されることにより、同じ音声ガイダンスが再出力される。
【００２０】
つまり、音声ガイダンスキー８ａはオルタネイトキーのように作用し、必要に応じて、音声停止／再出力の切り換え操作を簡単にすることができる。これにより、音声出力モードをオンに設定していたとしても、再生中の音声を随時止めることができるので、聞く必要のない長い音声メッセージや繰り返される音声メッセージを止めておくことができ、まわりに迷惑をかけず、また効率よく、登録操作等を進めることができる。
【００２１】
また、いったん停止しても再度、音声ガイダンス制御キーを操作すれば、停止中のガイダンスが再生されるので、音声による操作の再確認をすることができる。
本実施例のように、次の操作がされるまで繰り返し音声を出力させるようにしたものについては、特に有効であるが、そのような繰り返し出力のないものでも、メッセージ途中で停止させることができるので、時間のかかる長いメッセージのときにも有効である。
【００２２】
また、本実施例では登録操作の一例を示したが、装置異常発生時のエラー復旧操作に対しても、音声ガイダンス制御キー８ａの操作により、音声出力抑止／出力を自在に切り換え制御することができる。
【００２３】
図３は、音声ガイダンスの出力／停止タイミングを示したフローチャートである。
音声ガイダンスＡの出力中に、次操作がされると、音声Ａを停止し、次操作に対応した音声Ｂを出力する（以上、１０１〜１０４）。ここで次操作とは、たとえば上記ワンタッチ登録操作における、上記（１）に対する（２）の操作、（２）に対する（３）の操作、（３）に対する（４）の操作をいう。
一方、音声ガイダンスＡの出力中に、音声ガイダンス制御キー８ａが操作されると、音声Ａを停止し、その状態で次の操作がされると、音声Ｂを出力する（以上、１０１、１０５〜１０８）。また、音声Ａの停止中に、さらに音声ガイダンス制御キー８ａが操作されると、再度音声Ａを出力する（以上、１０６、１０９、１１０）。
【００２４】
図４は、本発明装置の音声出力制御の基本動作を示したフローチャートである。ステップ２０１〜２０７で示されたフローチャートは、音声ガイダンス制御キー８ａを含むキー操作を受け付けてから音声が停止／再生されるまでの音声出力制御処理を示している。
フローチャートにおいて、ステップ２０１は音声ガイダンス制御キー８ａ以外の操作入力待ちを、２０２は制御キー８ａの入力待ちを示している。２０３は制御キー８ａを除くキー操作時の処理を、２０４、２０５は、ガイド中のときの対応する音声の検索、再生処理を示している。なお、ガイド中でなければ音声の再生はない。
また、ステップ２０６は、音声ガイダンス制御キー８ａ入力時に音声再生中であるかどうかの判断を示し、再生中であれば再生を停止し（２０７）、再生中でなければ再生処理を実行する（２０４、２０５）。
【００２５】
図５は、音声ガイダンスの出力タイミングを示すタイムチャートである。
このタイムチャートに示すように、ガイド開始キー操作からガイド終了キー操作がされるまでをガイド中とし、そのガイド中に音声ガイダンス制御キー８ａが操作されると、音声ガイダンスの有効／無効を切り換える動作を実行する。ここで、ガイド開始キーとは、音声によるガイダンスが開始されるキーであり、たとえばワンタッチ登録操作におけるワンタッチ登録ボタンがこれに相当し、ガイド終了キーとは、音声によるガイダンスが終了されるキーであり、たとえばワンタッチ登録操作における登録確定スイッチが相当する。
【図面の簡単な説明】
【００２６】
【図１】本発明の画像処理装置の内部構成を示すブロック図である。
【図２】音声ガイダンス制御キーの操作例を示すフローチャートである。
【図３】音声ガイダンスの出力／停止タイミングを示したフローチャートである。
【図４】本発明装置の音声出力制御の基本動作を示したフローチャートである。
【図５】音声ガイダンスの出力タイミングを示すタイムチャートである。
【符号の説明】
【００２７】
Ｆ      複合機（画像処理装置）
１      制御部（音声出力制御手段）
８      操作部
８ａ      音声ガイダンス制御キー
１１      音声出力部
【図１】
2005278011.tif 000003
【図２】
2005278011.tif 000004
【図３】
2005278011.tif 000005
【図４】
2005278011.tif 000006
【図５】
2005278011.tif 000007
【手続補正書】
【提出日】平成17年2月15日(2005.2.15)
【手続補正１】
【補正対象書類名】図面
【補正対象項目名】図３
【補正方法】変更
【補正の内容】
【図３】
2005278011.tif 000008
【手続補正２】
【補正対象書類名】図面
【補正対象項目名】図４
【補正方法】変更
【補正の内容】
【図４】
2005278011.tif 000009